(57)【要約】【課題】クロスシリンダテストの円滑な実施を図るための新たな技術を提供する。【解決手段】眼科検査装置は、第１光束出力系と、第２光束出力系と、光束合成部材と、光学系とを含む。第１光束出力系は、第１検眼視標を眼底に投影するための第１光束を出力する。第２光束出力系は、第２検眼視標を眼底に投影するための第２光束を出力する。光束合成部材は、第１光束と第２光束とを、互いの少なくとも一部が重なり合い、且つ第１検眼視標と第２検眼視標とが眼底において重なり合わないように合成する。光学系は、光束合成部材によって合成された光束を被検眼に投射する。【選択図】図４
2017164113.tif 000002
【特許請求の範囲】
【請求項１】
第１検眼視標を眼底に投影するための第１光束を出力する第１光束出力系と、
第２検眼視標を前記眼底に投影するための第２光束を出力する第２光束出力系と、
前記第１光束と前記第２光束とを、互いの少なくとも一部が重なり合い、且つ前記第１検眼視標と前記第２検眼視標とが前記眼底において重なり合わないように合成する光束合成部材と、
前記光束合成部材によって合成された光束を被検眼に投射する光学系と
を含む眼科検査装置。
【請求項２】
前記第１光束出力系は、前記第１光束において前記第１検眼視標に相当する光束断面領域が前記光束合成部材の光束合成面の第１領域を通過するように前記第１光束を出力し、
前記第２光束出力系は、前記第２光束において前記第２検眼視標に相当する光束断面領域が前記第１領域に隣接する第２領域を通過するように前記第２光束を出力する
ことを特徴とする請求項１に記載の眼科検査装置。
【請求項３】
前記第１光束出力系の光軸と前記第２光束出力系の光軸とが前記光束合成部材の光束合成面において交差している
ことを特徴とする請求項１又は請求項２に記載の眼科検査装置。
【請求項４】
前記光学系は、乱視度数及び乱視軸を変更可能な光学素子を含む
ことを特徴とする請求項１〜請求項３のいずれか一項に記載の眼科検査装置。
【請求項５】
前記第１光束出力系は、
前記第１検眼視標に対応するパターンが形成された第１パターン形成部と、
前記第１パターン形成部に光を照射する第１光源と、
を含み、
前記第２光束出力系は、
前記第２検眼視標に対応するパターンが形成された第２パターン形成部と、
前記第２パターン形成部に光を照射する第２光源と、
を含む
ことを特徴とする請求項１〜請求項４のいずれか一項に記載の眼科検査装置。
【請求項６】
前記第１光束出力系の光軸に沿って前記第１パターン形成部及び前記第１光源を移動し、かつ、前記第２光束出力系の光軸に沿って前記第２パターン形成部及び前記第２光源を移動する移動機構と、
前記移動機構を制御する第１制御部と、
を含むことを特徴とする請求項５に記載の眼科検査装置。
【請求項７】
前記第１光束出力系は、前記第１パターン形成部と前記光束合成部材との間に配置され、互いの円柱軸が直交配置されたプラス円柱レンズとマイナス円柱レンズとを含む第１クロスシリンダレンズを含み、
前記第２光束出力系は、前記第２パターン形成部と前記光束合成部材との間に配置され、互いの円柱軸が直交配置されたプラス円柱レンズとマイナス円柱レンズとを含む第２クロスシリンダレンズを含む
ことを特徴とする請求項５又は請求項６に記載の眼科検査装置。
【請求項８】
前記第１クロスシリンダレンズを前記第１光束出力系の光軸を中心に回動する第１回動機構と、
前記第２クロスシリンダレンズを前記第２光束出力系の光軸を中心に回動する第２回動機構と、
前記第１回動機構と前記第２回動機構とを制御する第２制御部と、
を含むことを特徴とする請求項７に記載の眼科検査装置。
【請求項９】
左被検眼を検査するための左眼用検査ユニットと、
右被検眼を検査するための右眼用検査ユニットと、
を含み、
前記左眼用検査ユニット及び前記右眼用検査ユニットのそれぞれは、前記第１光束出力系、前記第２光束出力系、前記光束合成部材、及び前記光学系を含む
ことを特徴とする請求項１〜請求項８のいずれか一項に記載の眼科検査装置。
【発明の詳細な説明】
【技術分野】
【０００１】
本発明は、眼科検査装置に関する。
【背景技術】
【０００２】
眼科検査装置において、クロスシリンダテストを実施可能なものが知られている。クロスシリンダテストは、所定の視標を被検眼に呈示し、乱視度数や乱視軸角度を切り換えたときの視標の見え具合を被検者に比較判断させることにより被検眼の乱視の状態を検査するものである。従来のクロスシリンダテストでは、点群チャートを被検眼に呈示しつつ、矯正光学系に配置された反転可能なクロスシリンダレンズがその光軸を中心に回転される。クロスシリンダレンズを反転させる前と反転させる後とで点群チャートが良好に見える方を被検者に回答させる。
【０００３】
ところが、この手法では、被検者はクロスシリンダレンズの反転前後の点群チャートの見え具合を記憶しておく必要があるため、被検者（例えば高齢者）によってはどちらが良好に見えたかの判断が難しく、検査結果が不安定になる場合がある。
【０００４】
これに対して、例えば特許文献１には、球面度数が互いに異なる半円状のレンズを突き合わせ接合したレンズと頂角プリズムとを貼り合わせた組み合わせレンズを用いて被検眼に所定の視標を呈示することにより視標を瞳分割で同時視させる手法が開示されている。また、例えば特許文献２には、分離プリズムを用いて被検眼に所定の視標を呈示することにより視標を瞳分割で同時視させる手法が開示されている。
【先行技術文献】
【特許文献】
【０００５】
【特許文献１】特開平０４−２００４３４号公報
【特許文献２】特開平０６−０４６９９３号公報
【発明の概要】
【発明が解決しようとする課題】
【０００６】
しかしながら、特許文献１及び特許文献２に開示された手法では、乱視度数等が互いに異なる２つの視標を瞳分割で同時視させているため、被検眼（顔）の位置が動いてしまうと同時視が不可能になり、クロスシリンダテストを安定して実施することが難しい。また、被検眼の形状等が瞳分割の方向に非対称な場合にも、２つの視標を瞳分割で同時視させるクロスシリンダテストを安定して実施することが難しい。このように、従来の手法ではクロスシリンダテストを安定して実施することが難しいため、クロスシリンダテストの結果が不安定になり、被検眼の乱視の検査結果の信頼性が低下するという問題がある。
【０００７】
この発明は、このような事情に鑑みてなされたものであり、その目的は、被検眼の乱視の検査結果の信頼性の低下を防ぐための新たな技術を提供することを目的とする。
【課題を解決するための手段】
【０００８】
実施形態に係る眼科検査装置は、第１光束出力系と、第２光束出力系と、光束合成部材と、光学系とを含む。第１光束出力系は、第１検眼視標を眼底に投影するための第１光束を出力する。第２光束出力系は、第２検眼視標を眼底に投影するための第２光束を出力する。光束合成部材は、第１光束と第２光束とを、互いの少なくとも一部が重なり合い、且つ第１検眼視標と第２検眼視標とが眼底において重なり合わないように合成する。光学系は、光束合成部材によって合成された光束を被検眼に投射する。
【発明の効果】
【０００９】
この発明に係る眼科検査装置によれば、被検眼の乱視の検査結果の信頼性の低下を防ぐことが可能になる。
【図面の簡単な説明】
【００１０】
【図１】実施形態に係る眼科検査装置の外観構成を示す概略図。
【図２】実施形態に係る眼科検査装置の構成例のブロック図。
【図３】実施形態に係る眼科検査装置の光学系の構成例を示す概略図。
【図４】実施形態に係る眼科検査装置の光学系の構成例を示す概略図。
【図５】実施形態に係る眼科検査装置の動作説明図。
【図６】実施形態に係る眼科検査装置の制御系の構成例を示す概略図。
【図７】実施形態に係る眼科検査装置の動作例のフロー図。
【図８】実施形態に係る眼科検査装置の動作例のフロー図。
【発明を実施するための形態】
【００１１】
この発明に係る眼科検査装置の実施形態の例について、図面を参照しながら詳細に説明する。なお、この明細書において引用された文献の記載内容や任意の公知技術を、以下の実施形態に援用することが可能である。
【００１２】
［構成］
図１に、実施形態に係る眼科検査装置の外観構成の概略を模式的に示す。実施形態に係る眼科検査装置１は、自覚検査と他覚測定とが可能な眼科装置である。自覚検査は、被検者の眼（被検眼）に視標を呈示し、その見え方に関する被検者からの応答に基づいて被検眼に関する情報を取得するための検査である。他覚測定は、被検者からの応答を参照することなく、主として物理的な手法を用いて被検眼に関する情報を取得するための測定である。
【００１３】
眼科検査装置１は、自覚検査を行うための光学系を用いてクロスシリンダテストの実施が可能である。クロスシリンダテストは、所定の視標を被検眼に呈示し、乱視度数や乱視軸角度を切り換えたときの視標の見え具合を被検者に比較判断させることにより被検眼の乱視の状態を検査するものである。眼科検査装置１は、乱視度数や乱視軸角度が互いに異なる２つの視標を被検眼に同時視させた状態で視標の見え具合を被検者に比較判断させることができる。
【００１４】
眼科検査装置１は、有線又は無線の通信路を介して図示しない検者用コントローラ（例えば、タブレット端末）や被検者用コントローラ（例えば、コントロールレバーユニット）などと通信接続が可能である。眼科検査装置１は、検者用コントローラや被検者用コントローラに対する操作に基づいて制御される。以下では、被検者から見て左右方向をＸ方向とし、上下方向をＹ方向とし、被検者から見て測定ヘッド１００の奥行き方向をＺ方向として説明する場合がある。
【００１５】
眼科検査装置１は、測定ヘッド１００と、制御装置２００とを含む。測定ヘッド１００には、上記の自覚検査や他覚測定等を行うための光学系や移動機構系が設けられている。制御装置２００は、測定ヘッド１００に対する制御や、検者用コントローラや被検者用コントローラに対する制御を行う。
【００１６】
眼科検査装置１は、検眼用テーブル３を備える。検眼用テーブル３は、測定ヘッド１００の支持や検者用コントローラ又は被検者用コントローラの載置などのための机である。検眼用テーブル３は、支持部４によって床の上に支持された状態で設置される。検眼用テーブル３は、高さを上下に調節可能である。
【００１７】
検眼用テーブル３には、支柱５が立設される。支柱５の先端部には、横アーム６の基端部が保持される。横アーム６の先端部には、測定ヘッド１００が吊り下げられている。例えば、支柱５は、アーム移動機構７により軸回り方向（矢印方向ｊ、矢印方向ｋ）に回動可能である。それにより、横アーム６は、軸回り方向に回動される。すなわち、測定ヘッド１００は、軸回り方向に回動される。それにより、検眼用テーブル３の上方の検査空間から測定ヘッド１００を退避させることが可能になり、検眼用テーブル３上の空きスペースを利用して効率的に検査を進めることができるようになる。
【００１８】
アーム移動機構７は、アーム上下動機構として、支柱５の先端部を上下方向（矢印方向ｈ）に移動させるようにしてもよい。それにより、横アーム６は、上下方向に移動される。すなわち、測定ヘッド１００は、上下方向に移動される。アーム移動機構７は、アーム伸縮機構として、検眼用テーブル３から上方に突出する支柱５を伸縮させることにより横アーム６を上下方向に移動させてもよい。この場合でも、測定ヘッド１００を被検者の座高に合わせて上下したり、検眼用テーブル３の上方の検査空間から測定ヘッド１００を退避させたりすることが可能になる。
【００１９】
測定ヘッド１００を保管するための台などを別途に設け、前述の回動や上下方向の移動により測定ヘッド１００を安定した位置に配置するようにしてもよい。この場合、測定ヘッド１００の重さに起因した横アーム６への継続的な負荷の低減が可能になる。
【００２０】
アーム移動機構７は、操作者による操作を受け、手動により軸回り方向や上下方向に横アーム６を移動させることが可能である。アーム移動機構７は、電気的な機構で横アーム６を移動させてもよい。この場合、アーム移動機構７を移動させるための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。
【００２１】
支持部４の側面には格納部９が設けられ、制御装置２００などが格納される。なお、検眼用テーブル３の構成は、図１に示す構成に限定されるものではない。
【００２２】
〔測定ヘッド〕
測定ヘッド１００は、左眼用検査ユニット１２０Ｌ及び右眼用検査ユニット１２０Ｒを含む。左眼用検査ユニット１２０Ｌ及び右眼用検査ユニット１２０Ｒには、それぞれ検眼窓１３０Ｌ、１３０Ｒが形成されている。被検者の左眼（左被検眼）は、検眼窓１３０Ｌを通じて検査が行われる。被検者の右眼（右被検眼）は、検眼窓１３０Ｒを通じて検査が行われる。
【００２３】
図２に、実施形態に係る測定ヘッド１００の構成例のブロック図を示す。測定ヘッド１００は、移動機構系１１０と、左眼用検査ユニット１２０Ｌと、右眼用検査ユニット１２０Ｒとを含む。移動機構系１１０は、横アーム６に吊り下げられる。左眼用検査ユニット１２０Ｌ及び右眼用検査ユニット１２０Ｒは、移動機構系１１０により独立に又は連動して３次元的に移動される。左眼用検査ユニット１２０Ｌは、左被検眼の検査用の光学系を収容する。右眼用検査ユニット１２０Ｒは、右被検眼の検査用の光学系を収容する。
【００２４】
（移動機構系）
移動機構系１１０は、水平動機構１１１と、回動機構１１２Ｌ、１１２Ｒと、上下動機構１１３Ｌ、１１３Ｒとを含む。移動機構系１１０は、アーム移動機構７をさらに含んでもよい。
【００２５】
水平動機構１１１は、回動機構１１２Ｌ、１１２Ｒ、上下動機構１１３Ｌ、１１３Ｒ、左眼用検査ユニット１２０Ｌ及び右眼用検査ユニット１２０Ｒを水平方向（横方向（Ｘ方向）、前後方向（Ｚ方向））に移動させる。それにより、被検眼の配置位置に応じて、検眼窓１３０Ｌ、１３０Ｒの水平方向の位置を調整することができる。水平動機構１１１は、例えば、パルスモータや送りネジなどを用いた公知の構成を備え、制御装置２００からの制御信号を受けて回動機構１１２Ｌ、１１２Ｒ等を水平方向に移動させる。水平動機構１１１は、操作者による操作を受け、前述の回動機構１１２Ｌ、１１２Ｒ等を水平方向に手動で移動させることも可能である。
【００２６】
回動機構１１２Ｌは、水平動機構１１１に連結された所定の第１軸を中心に上下動機構１１３Ｌ及び左眼用検査ユニット１２０Ｌを回動させる。第１軸は、略垂直方向に延びる軸であり、水平面に対して任意の角度で傾斜可能であってよい。回動機構１１２Ｌは、例えば、パルスモータや回動軸などを用いた公知の構成を備え、制御装置２００からの制御信号を受けて第１軸を中心に左眼用検査ユニット１２０Ｌ等を回動させる。回動機構１１２Ｌは、操作者による操作を受け、第１軸を中心に左眼用検査ユニット１２０Ｌ等を手動で回動させることも可能である。
【００２７】
回動機構１１２Ｒは、水平動機構１１１に連結された所定の第２軸を中心に上下動機構１１３Ｒ及び右眼用検査ユニット１２０Ｒを回動させる。第２軸は、第１軸と同様に略垂直方向に延びる軸であり、水平面に対して任意の角度で傾斜可能であってよい。第２軸は、第１軸から所定の距離だけ離間した位置に配置された軸である。第１軸と第２軸との間の距離は、調整可能である。回動機構１１２Ｒは、回動機構１１２Ｌの回動に連動して右眼用検査ユニット１２０Ｒ等を回動させてもよいし、回動機構１１２Ｌの回動とは独立に右眼用検査ユニット１２０Ｒ等を回動させてもよい。回動機構１１２Ｒは、回動機構１１２Ｌと同様の公知の構成を備え、制御装置２００からの制御信号を受けて第２軸を中心に右眼用検査ユニット１２０Ｒ等を回動させる。回動機構１１２Ｒは、操作者による操作を受け、第２軸を中心に右眼用検査ユニット１２０Ｒ等を手動で回動させることも可能である。
【００２８】
回動機構１１２Ｌ、１１２Ｒにより左眼用検査ユニット１２０Ｌ及び右眼用検査ユニット１２０Ｒを回動させることにより、左眼用検査ユニット１２０Ｌと右眼用検査ユニット１２０Ｒとの向きを相対的に変更することが可能である。例えば、左眼用検査ユニット１２０Ｌと右眼用検査ユニット１２０Ｒとが、被検者の左右眼の眼球回旋点を中心にそれぞれ逆方向に回転される。それにより、被検眼を開散、輻輳させることができる。
【００２９】
上下動機構１１３Ｌは、左眼用検査ユニット１２０Ｌを上下方向（Ｙ方向）に移動させる。それにより、被検眼の配置位置に応じて、検眼窓１３０Ｌの高さ方向の位置を調整することができる。上下動機構１１３Ｌは、例えば、パルスモータや送りネジなどを用いた公知の構成を備え、制御装置２００からの制御信号を受けて左眼用検査ユニット１２０Ｌを上下方向に移動させる。上下動機構１１３Ｌは、操作者による操作を受け、左眼用検査ユニット１２０Ｌを上下方向に手動で移動させることも可能である。
【００３０】
上下動機構１１３Ｒは、右眼用検査ユニット１２０Ｒを上下方向に移動させる。それにより、被検眼の配置位置に応じて、検眼窓１３０Ｌの高さ方向の位置を調整することができる。上下動機構１１３Ｒは、上下動機構１１３Ｌによる移動に連動して右眼用検査ユニット１２０Ｒを移動させてもよいし、上下動機構１１３Ｌによる移動とは独立に右眼用検査ユニット１２０Ｒを移動させてもよい。上下動機構１１３Ｒは、上下動機構１１３Ｌと同様の公知の構成を備え、制御装置２００からの制御信号を受けて右眼用検査ユニット１２０Ｒを上下方向に移動させる。上下動機構１１３Ｒは、操作者による操作を受け、右眼用検査ユニット１２０Ｒを上下方向に手動で移動させることも可能である。
【００３１】
（各検査ユニットの構成）
左眼用検査ユニット１２０Ｌ及び右眼用検査ユニット１２０Ｒは、個別に動作可能である。
【００３２】
左眼用検査ユニット１２０Ｌは、第１視標呈示部１２２Ｌと、第１他覚測定部１２３Ｌと、第１撮影部１２４Ｌとを含む。第１視標呈示部１２２Ｌは、複数の視標を選択的に左被検眼に呈示する。第１他覚測定部１２３Ｌは、左被検眼の他覚屈折測定を行うために用いられる。第１撮影部１２４Ｌは、左被検眼の前眼部を撮影する。左眼用検査ユニット１２０Ｌには、左被検眼と後述の偏向部材Ｐとの間に配置可能な複数の光学素子を選択的に左被検眼に適用する光学素子適用部が設けられていてもよい。
【００３３】
右眼用検査ユニット１２０Ｒは、第２視標呈示部１２２Ｒと、第２他覚測定部１２３Ｒと、第２撮影部１２４Ｒとを含む。第２視標呈示部１２２Ｒは、複数の視標を選択的に右被検眼に呈示する。第２他覚測定部１２３Ｒは、右被検眼の他覚屈折測定を行うために用いられる。第２撮影部１２４Ｒは、右被検眼の前眼部を撮影する。右眼用検査ユニット１２０Ｒには、右被検眼と後述の偏向部材Ｐとの間に配置可能な複数の光学素子を選択的に右被検眼に適用する光学素子適用部が設けられていてもよい。
【００３４】
左眼用検査ユニット１２０Ｌ及び右眼用検査ユニット１２０Ｒには、図３に示すような光学系が収容されている。左眼用検査ユニット１２０Ｌ及び右眼用検査ユニット１２０Ｒは、その光学系を動作させることで、左被検眼及び右被検眼のそれぞれに対して、視標呈示部を用いた自覚検査と他覚測定部及び撮影部を用いた他覚屈折測定とを実行するように構成されている。検者や被検者は、コントローラ等を適宜操作することにより検査を行う。また、左眼用検査ユニット１２０Ｌ及び右眼用検査ユニット１２０Ｒのそれぞれは、視標提示部を用いたクロスシリンダテストを実施するように構成されている。
【００３５】
各検査ユニットに上記の光学素子適用部が設けられる場合、光学素子適用部は、複数の光学素子と駆動機構とを含む。複数の光学素子は、被検眼の視機能を検査するための各種レンズからなる集合であり、例えば、球面レンズ、円柱レンズ及びプリズムレンズのうち少なくとも１つを含む。複数の光学素子は、検眼パラメータの種別ごとに組分けされる。例えば、検眼パラメータの種別は、球面度数、乱視度数、乱視軸角度、加入度数、瞳孔間距離、プリズム度数及びプリズム基底方向のうち少なくとも１つを含む。検眼パラメータの種別ごとの組分けとして、球面度数の組は、複数の球面レンズを含み、それぞれ異なる球面度数の球面レンズにより構成される。乱視度数の組は、複数の円柱レンズを含み、それぞれ異なる乱視度数の円柱レンズにより構成される。なお、乱視度数の組は、さらに乱視軸角度に合わせて回転可能となっていてもよい。加入度数の組は、挿脱可能なプラス度数の球面レンズやマイナス度数の球面レンズにより構成される。プリズム度数の組は、複数のプリズムレンズを含み、それぞれ異なるプリズム度数のプリズムレンズにより構成される。なお、プリズム度数の組は、さらにプリズム基底方向に合わせて回転可能となっていてもよい。瞳孔間距離は、被検眼の瞳孔間距離に合わせて設定される検査条件である。瞳孔間距離は、左眼用検査ユニット１２０Ｌと右眼用検査ユニット１２０Ｒの一方又は双方が、水平方向（図１の矢印方向ｍ）にスライドすることにより設定される。
【００３６】
各検査ユニットに含まれる駆動機構は、複数の光学素子のそれぞれを検眼窓に配置させ、且つ、検眼窓から退避させることが可能に構成される。各検査ユニットに含まれる駆動機構は、制御装置２００から制御信号を受けて光学素子を切り換える。それにより、球面度数、乱視度数、乱視軸角度、加入度数、瞳孔間距離、プリズム度数及びプリズム基底方向のうち少なくとも１つを切り換えて被検眼に適用することが可能である。
【００３７】
〔光学系の構成〕
図３に、左眼用検査ユニット１２０Ｌ及び右眼用検査ユニット１２０Ｒに収容された光学系の構成例のブロック図を示す。図４に、左眼用検査ユニット１２０Ｌに含まれるクロスシリンダ光学系７０Ｌの光学系の構成例を示す。図４は、左眼用検査ユニット１２０Ｌに含まれるクロスシリンダ光学系７０Ｌの光学系の構成例を表すが、右眼用検査ユニット１２０Ｒに含まれるクロスシリンダ光学系７０Ｒの光学系の構成はクロスシリンダ光学系７０Ｌの構成と同様である。
【００３８】
左眼用検査ユニット１２０Ｌは、偏向部材Ｐと、視標呈示光学系１０Ｌと、撮影光学系２０Ｌと、アライメント光学系３０Ｌ、３１Ｌと、レフ測定光学系４０Ｌと、ケラト測定光学系５０Ｌとを含む。左眼用検査ユニット１２０Ｌには、対物レンズ６０と、ビームスプリッタＢＳ１〜ＢＳ３とが設けられている。右眼用検査ユニット１２０Ｒは、偏向部材Ｐと、視標呈示光学系１０Ｒと、撮影光学系２０Ｒと、アライメント光学系３０Ｒ、３１Ｒと、レフ測定光学系４０Ｒと、ケラト測定光学系５０Ｒとを含む。右眼用検査ユニット１２０Ｒには、対物レンズ６０と、ビームスプリッタＢＳ１〜ＢＳ３とが設けられている。左眼用検査ユニット１２０Ｌの光学系と右眼用検査ユニット１２０Ｒの光学系とは左右対称に構成されている。以下、特に指摘しない限り、左眼用検査ユニット１２０Ｌの光学系について説明することとする。
【００３９】
（視標呈示光学系）
視標呈示光学系１０Ｌは、左被検眼ＥＬの眼底Ｅｆに視標を投影するための光学系である。視標呈示光学系１０Ｌは、ＬＣＤ（Ｌｉｑｕｉｄ  Ｃｒｙｓｔａｌ  Ｄｉｓｐｌａｙ）１１と、移動レンズ１２と、ビームスプリッタＢＳ４と、ＶＣＣレンズ１３と、反射ミラーＭと、クロスシリンダ光学系７０Ｌとを含む。ＬＣＤ１１は、検眼用の各種の視標（チャート）を表示する。ＬＣＤ１１には、風景チャートからなる固視標、視力検査用のランドルト環等の視力チャート、乱視検査用の放射チャート、斜位検査用の十字チャート、レッドグリーンテストチャートなどの視標が選択的に表示される。視標呈示光学系１０Ｌには、ＬＣＤ１１に代えて、ＥＬ（エレクトロルミネッセンス）などを利用した電子表示デバイスや、回転するガラス板等に描画された複数の視標のいずれかを光軸上に適宜配置するもの（ターレットタイプ）が設けられていてもよい。
【００４０】
移動レンズ１２は、視標呈示光学系１０Ｌの光軸方向に移動可能である。移動レンズ１２は、後述の移動機構１２Ｍにより移動される。移動機構１２Ｍは、制御装置２００からの制御信号を受けて移動レンズ１２を移動させる。それにより、左被検眼ＥＬに付加される球面度を変更することが可能である。例えば、レフ測定時に左被検眼ＥＬの屈折力に応じた移動量だけ移動レンズ１２を光軸方向に移動させることにより、左被検眼ＥＬに対する固視雲霧を行うことができる。また、自覚検査時に、被検眼の遠点に相当する位置、近点に相当する位置、又はその中間の任意の位置に視標を呈示することができ、任意の検査距離で検査を行うことができる。
【００４１】
ビームスプリッタＢＳ４は、ＬＣＤ１１からの光路にクロスシリンダ光学系７０Ｌの光路を結合する。
【００４２】
ＶＣＣレンズ１３は、公知の手法により左被検眼ＥＬに付加される乱視度数及び乱視軸角度の少なくとも一方の変更が可能である。ＶＣＣレンズ１３は、光軸に配置されたプラス円柱レンズとマイナス円柱レンズとを含み、当該光軸を中心にプラス円柱レンズとマイナス円柱レンズを相対的に回動可能である。それにより、左被検眼ＥＬに付加される乱視度数及び乱視軸角度の少なくとも一方が変更可能である。ＶＣＣレンズ１３は、その光軸が視標呈示光学系１０Ｌの光軸と一致するように配置され、図示しない回動機構（後述の回動機構１３Ｍ）により視標呈示光学系１０Ｌの光軸を中心に回動可能である。例えば、ＶＣＣレンズ１３は、光軸を中心とした回動により−４．００Ｄ〜＋４．００Ｄの範囲で乱視度数（屈折度数）の変更が可能であり、０度〜１８０度の範囲で乱視軸角度の変更が可能である。
【００４３】
ＬＣＤ１１からの光は移動レンズ１２を通過し、ビームスプリッタＢＳ４を透過し、ＶＣＣレンズ１３を通過し、反射ミラーＭにより反射される。反射ミラーＭにより反射された光は、ビームスプリッタＢＳ２を透過し、ビームスプリッタＢＳ１により反射される。ビームスプリッタＢＳ１により反射された光は、対物レンズ６０を通過し、偏向部材Ｐにより左被検眼ＥＬの眼底Ｅｆに向けて偏向される。
【００４４】
クロスシリンダ光学系７０Ｌは、第１光束出力系７１Ｌ１と、第２光束出力系７１Ｌ２と、光束合成部材７２Ｌとを含む。第１光束出力系７１Ｌ１は、第１検眼視標（例えば左視標）を左被検眼ＥＬの眼底Ｅｆに投影するための第１光束を出力する。第２光束出力系７１Ｌ２は、第２検眼視標（例えば右視標）を左被検眼ＥＬの眼底Ｅｆに投影するための第２光束を出力する。光束合成部材７２Ｌは、互いの光束が重なり合い、且つ第１検眼視標と第２検眼視標とが眼底Ｅｆにおいて重なり合わないように第１光束と第２光束とを合成する。光束合成部材７２Ｌは、互いの少なくとも一部の光束が重なり合うように第１光束と第２光束とを合成してよい。光束合成部材７２Ｌは、ハーフミラーであってよい。
【００４５】
第１光束出力系７１Ｌ１は、第１光源７３Ｌ１と、第１視標形成部７４Ｌ１と、リレーレンズ７５Ｌ１と、第１クロスシリンダレンズ７６Ｌ１と、リレーレンズ７７Ｌ１と、反射ミラー７８Ｌとを含む。第１光源７３Ｌ１及び第１視標形成部７４Ｌ１は、図示しない移動機構（後述の移動機構７３Ｍ）により第１光束出力系７１Ｌ１の光軸に沿って一体となって移動可能である。第１視標形成部７４Ｌ１には、第１検眼視標に対応するパターンが形成されている。第１視標形成部７４Ｌ１は、当該パターンの形成が可能な透過型のＬＣＤ（Ｌｉｑｕｉｄ  Ｃｒｙｓｔａｌ  Ｄｉｓｐｌａｙ）パネルであってよい。第１クロスシリンダレンズ７６Ｌ１は、互いの円柱軸が直交配置されたプラス円柱レンズとマイナス円柱レンズとを含む。プラス円柱レンズ及びマイナス円柱レンズは、その光軸が第１光束出力系７１Ｌ１の光軸と一致するように配置され、図示しない回動機構（後述の回動機構７６Ｍ１）により第１光束出力系７１Ｌ１の光軸を中心に一体となって回動可能である（すなわち、直交配置された状態で回動可能である）。例えば、第１クロスシリンダレンズ７６Ｌ１は、＋０．５０Ｄのプラス円柱レンズと−０．５０Ｄのマイナス円柱レンズにより構成される。第１クロスシリンダレンズ７６Ｌ１は、＋０．２５Ｄのプラス円柱レンズと−０．２５Ｄのマイナス円柱レンズ、又は＋０．７５Ｄのプラス円柱レンズと−０．７５Ｄのマイナス円柱レンズにより構成されていてもよい。第１クロスシリンダレンズ７６Ｌ１は、互いに乱視度数が異なる複数のクロスシリンダレンズを含み、これらの１つを第１光束出力系７１Ｌ１の光軸に選択的に配置可能であってもよい。
【００４６】
第１光源７３Ｌ１から出力された光束は第１視標形成部７４Ｌ１に照射される。第１光源７３Ｌ１からの光束は第１視標形成部７４Ｌ１を通過することにより、第１視標形成部７４Ｌ１に形成されたパターンに対応した第１検眼視標を投影するための光束となる。この光束は、リレーレンズ７５Ｌ１、第１クロスシリンダレンズ７６Ｌ１、及びリレーレンズ７７Ｌ１を通過し、反射ミラー７８Ｌにより光束合成部材７２Ｌに向けて反射される。
【００４７】
第２光束出力系７１Ｌ２は、第２光源７３Ｌ２と、第２視標形成部７４Ｌ２と、リレーレンズ７５Ｌ２と、第２クロスシリンダレンズ７６Ｌ２と、リレーレンズ７７Ｌ２と、光路長調整部７９Ｌとを含む。第２光源７３Ｌ２及び第２視標形成部７４Ｌ２は、図示しない移動機構（後述の移動機構７３Ｍ）により第２光束出力系７１Ｌ２の光軸に沿って一体となって移動可能である。第２光源７３Ｌ２及び第２視標形成部７４Ｌ２は、第１光源７３Ｌ１及び第１視標形成部７４Ｌ１と一体となって移動可能である。第２視標形成部７４Ｌ２には、第２検眼視標に対応するパターンが形成されている。第２視標形成部７４Ｌ２は、当該パターンの形成が可能な透過型のＬＣＤであってよい。第２クロスシリンダレンズ７６Ｌ２は、互いの円柱軸が直交配置されたプラス円柱レンズとマイナス円柱レンズとを含む。プラス円柱レンズ及びマイナス円柱レンズは、その光軸が第２光束出力系７１Ｌ２の光軸と一致するように配置され、図示しない回動機構（後述の回動機構７６Ｍ２）により第２光束出力系７１Ｌ２の光軸を中心に一体となって回動可能である。第２クロスシリンダレンズ７６Ｌ２は、第１クロスシリンダレンズ７６Ｌ１と同じ乱視度数のクロスシリンダレンズである。例えば、第２クロスシリンダレンズ７６Ｌ２は、＋０．５０Ｄのプラス円柱レンズと−０．５０Ｄのマイナス円柱レンズにより構成される。第２クロスシリンダレンズ７６Ｌ２は、第１クロスシリンダレンズ７６Ｌ１が同じであれば、＋０．２５Ｄのプラス円柱レンズと−０．２５Ｄのマイナス円柱レンズ、又は＋０．７５Ｄのプラス円柱レンズと−０．７５Ｄのマイナス円柱レンズにより構成されていてもよい。また、これらをそれぞれの光軸に選択的に配置可能であってもよい。光路長調整部７９Ｌは、第１視標形成部７４Ｌ１により形成された第１検眼視標に対応するパターンから光束合成部材７２Ｌの光束合成面までの光路長と第２視標形成部７４Ｌ２により形成された第２検眼視標に対応するパターンから光束合成部材７２Ｌの光束合成面までの光路長とを一致させる光路長調整を行う。例えば、光路長調整部７９Ｌは、第２光源７３Ｌ２から出力された光の光路長が長くなり第１光源７３Ｌ１から出力された光の光路長と略等しくなるように、リレーレンズ７７Ｌ２を通過した光を偏向する１以上の偏向部材を含む。
【００４８】
第２光源７３Ｌ２から出力された光束は第２視標形成部７４Ｌ２に照射される。第２光源７３Ｌ２からの光束は第２視標形成部７４Ｌ２を通過することにより、第２視標形成部７４Ｌ２に形成されたパターンに対応した第２検眼視標を投影するための光束となる。この光束は、リレーレンズ７５Ｌ２、第２クロスシリンダレンズ７６Ｌ２、リレーレンズ７７Ｌ２、及び光路長調整部７９Ｌを通過し、光束合成部材７２Ｌに導かれる。
【００４９】
第１光束出力系７１Ｌ１は、第１光束において第１検眼視標に相当する光束断面領域が光束合成部材７２Ｌの光束合成面の第１領域を通過するように第１光束を出力する。第２光束出力系７１Ｌ２は、第２光束において第２検眼視標に相当する光束断面領域が第１領域に隣接する第２領域を通過するように第２光束を出力する。それにより、光束合成部材７２Ｌによる合成により形成された光束が眼底に投影された被検者は、隣接して配置された第１検眼視標及び第２検眼視標を同時視することができる。
【００５０】
また、第１光束出力系７１Ｌ１の光軸と第２光束出力系７１Ｌ２の光軸とが光束合成部材７２Ｌの光束合成面において交差している。すなわち、第１光束と第２光束とが同軸に合成される。
【００５１】
図５に、実施形態に係る第１検眼視標及び第２検眼視標の説明図を示す。
【００５２】
例えば、第１視標形成部７４Ｌ１には、その中心部が第１光束出力系７１Ｌ１の光軸から外れた位置に配置された第１点群パターンＴ１が形成されている。例えば、第２視標形成部７４Ｌ２には、その中心部が第２光束出力系７１Ｌ２の光軸から外れた位置に配置された第２点群パターンＴ２が形成されている。第１光束は、第１光源７３Ｌ１からの光束が第１点群パターンＴ１を通過することにより形成される。第２光束は、第２光源７３Ｌ２からの光束が第２点群パターンＴ２を通過することにより形成される。光束合成部材７２Ｌは、互いの光束が重なり合い、且つ第１点群パターンＴ１と第２点群パターンＴ２とが眼底Ｅｆにおいて重なり合わないように第１光束と第２光束とを合成して合成光束を形成する。それにより、合成光束は、図５に示すように、第１点群パターンＴ１と第２点群パターンＴ２とを含む合成パターンＴ３を眼底Ｅｆに投射するための光束となる。
【００５３】
合成光束は、ビームスプリッタＢＳ４により反射され、ＶＣＣレンズ１３を通過し、反射ミラーＭにより反射される。反射ミラーＭにより反射された光は、ビームスプリッタＢＳ２を透過し、ビームスプリッタＢＳ１により反射される。ビームスプリッタＢＳ１により反射された光は、対物レンズ６０を通過し、偏向部材Ｐにより左被検眼ＥＬの眼底Ｅｆに向けて偏向される。
【００５４】
第１点群パターンＴ１を通過した第１光束は、第１クロスシリンダレンズ７６Ｌ１を通過する。第２点群パターンＴ２を通過した第２光束は、第２クロスシリンダレンズ７６Ｌ２を通過する。光束合成部材７２Ｌによる合成により形成され合成光束は、ＶＣＣレンズ１３を通過する。従って、この合成光束が眼底Ｅｆに投影された被検者は、互いに異なる乱視度数及び乱視軸角度が設定された点群パターンを同時視することができる。
【００５５】
（撮影光学系）
撮影光学系２０Ｌは、左被検眼ＥＬの前眼部を撮影するための光学系である。撮影光学系２０Ｌは、ＣＣＤ（Ｃｈａｒｇｅｄ  Ｃｏｕｐｌｅｄ  Ｄｅｖｉｃｅ）２１を含む。例えば図示しない前眼部照明系により左被検眼ＥＬの前眼部が照明されると、偏向部材Ｐには、左被検眼ＥＬの前眼部からの反射光が入射する。偏向部材Ｐは、反射光を対物レンズ６０に向けて偏向する。偏向部材Ｐにより偏向された反射光は、対物レンズ６０を通過し、ビームスプリッタＢＳ１、ＢＳ３を透過し、図示しないＣＣＤレンズ等によりＣＣＤ２１の受光面に結像される。また、撮影光学系２０Ｌは、レフ測定やケラト測定において左被検眼ＥＬに投影された測定光束の反射光を受光する受光系として機能する。
【００５６】
（アライメント光学系）
アライメント光学系３０Ｌは、左被検眼ＥＬに対する左眼用検査ユニット１２０Ｌの光学系のＸＹ方向のアライメントを行うための光学系である。アライメント光学系３０Ｌは、アライメント用の光束（スポット光）を左被検眼ＥＬに投影する。アライメント用の光束は、ビームスプリッタＢＳ３により反射され、ビームスプリッタＢＳ１を透過し、対物レンズ６０を通過して略平行光束とされ、偏向部材Ｐにより左被検眼ＥＬの角膜に向けて偏向される。左被検眼ＥＬに投射されたアライメント用の光束の角膜による反射光は、入射経路と同じ経路で戻り、ビームスプリッタＢＳ３を通過し、撮影光学系２０ＬのＣＣＤ２１により受光される。
【００５７】
アライメント光学系３１Ｌは、互いに異なる２以上の方向から左被検眼ＥＬの前眼部を撮影するための２以上のカメラを含む。これらのカメラを用いて取得された互いに異なる２以上の方向からの前眼部の撮影画像に基づいて得られる視差からＺ方向（作動距離方向）のアライメントが行われる。
【００５８】
（レフ測定光学系）
レフ測定光学系４０Ｌは、左被検眼ＥＬのレフ測定（他覚屈折測定）を行うための光学系である。レフ測定光学系４０Ｌにより出射されたレフ測定用の光束は、ビームスプリッタＢＳ２により反射され、ビームスプリッタＢＳ１により反射され、対物レンズ６０を通過し、偏向部材Ｐにより左被検眼ＥＬの眼底Ｅｆに向けて偏向される。左被検眼ＥＬに投射されたレフ測定用の光束の眼底からの反射光は、入射経路と同じ経路で戻り、ビームスプリッタＢＳ１、ＢＳ３を通過し、撮影光学系２０ＬのＣＣＤ２１により受光される。
【００５９】
（ケラト測定光学系）
ケラト測定光学系５０Ｌは、左被検眼ＥＬのケラト測定を行うための光学系である。ケラト測定光学系５０Ｌにより出射されたケラトリング光源からのリング状光束は、偏向部材Ｐにて偏向され左被検眼ＥＬの角膜を照明する。左被検眼ＥＬの角膜からの反射光は偏向部材Ｐにより偏向され、対物レンズ６０を通過し、ビームスプリッタＢＳ１、ＢＳ３を透過し、図示しないＣＣＤレンズ等によりＣＣＤ２１の受光面にリング状の像として結像される。
【００６０】
測定ヘッド１００は、後述の制御系の制御により、左眼用検査ユニット１２０Ｌ及び右眼用検査ユニット１２０Ｒのそれぞれの光学系のアライメント、他覚式検眼測定、自覚式検眼測定などを自動的に実行するようになっている。測定ヘッド１００は、さらに、両眼バランステストを自動的に実行するようにしてもよい。自覚検査においては、他覚測定にて得られた値（他覚値）が利用される。特に、自覚検査のうちのクロスシリンダテストにおいては、他覚検査にて得られた乱視度数及び乱視軸角度が利用される。
【００６１】
〔制御系〕
次に、図６を参照しながら、実施形態の眼科検査装置１の制御系について説明する。図６に示すブロック図は、眼科検査装置１の制御系の主要部分の概略構成を表している。図６において、図１〜図４と同様の部分には同一符号を付し、適宜説明を省略する。
【００６２】
眼科検査装置１の制御系は、図６に示すように、装置各部を制御する制御装置２００を中心に構成されている。制御装置２００は、例えば、格納部９に格納されている。制御装置２００は、制御部２０１と、記憶部２０２とを含む。
【００６３】
記憶部２０２には、後述するような処理を実行するための制御プログラムを含む眼科検査用のコンピュータプログラムや、ＬＣＤ１１に表示される視標パターンの画像データなどが記憶されている。第１視標形成部７４Ｌ１及び第２視標形成部７４Ｌ２がＬＣＤを含む場合、記憶部２０２には、当該ＬＣＤに表示される視標パターンの画像データが記憶される。また、記憶部２０２には、撮影光学系２０Ｌ、２０Ｒを用いて取得された左被検眼ＥＬの前眼部の画像、右被検眼ＥＲの前眼部の画像、レフ測定結果、ケラト測定結果などが保存される。制御部２０１は、記憶部２０２に記憶されたコンピュータプログラムを読み出し、記憶部２０２に記憶された画像データなどを参照しつつコンピュータプログラムを順次に実行する。このような制御部２０１は、ＣＰＵ（Ｃｅｎｔｒａｌ  Ｐｒｏｃｅｓｓｉｎｇ  Ｕｎｉｔ）等の演算制御用プロセッサを含む。
【００６４】
眼科検査装置１にはコンピュータ装置（図示せず）が接続されていてもよい。この場合、コンピュータ装置は、眼科検査装置１のコンソールとして用いられるとともに、眼科検査装置１による検査結果を蓄積して管理するために用いられる。なお、このコンピュータ装置のＣＰＵや記憶装置を制御装置２００として構成することも可能である。
【００６５】
制御装置２００（制御部２０１）は、左眼用検査ユニット１２０Ｌ及び右眼用検査ユニット１２０Ｒの動作制御を行う。具体的には、制御装置２００は、左眼用検査ユニット１２０Ｌ及び右眼用検査ユニット１２０Ｒを水平動させる水平動機構１１１を制御する。制御装置２００は、左眼用検査ユニット１２０Ｌを回動させる回動機構１１２Ｌと、左眼用検査ユニット１２０Ｌを上下動させる上下動機構１１３Ｌとをそれぞれ制御する。同様に、制御装置２００は、右眼用検査ユニット１２０Ｒを回動させる回動機構１１２Ｒと、右眼用検査ユニット１２０Ｒを上下動させる上下動機構１１３Ｒとをそれぞれ制御する。制御装置２００は、横アーム６を上下動させたり回動させたりするアーム移動機構７を制御するようにしてもよい。
【００６６】
制御装置２００（制御部２０１）は、左眼用検査ユニット１２０Ｌ及び右眼用検査ユニット１２０Ｒに格納された光学系の動作を制御する。制御装置２００は、左眼用検査ユニット１２０Ｌに格納された光学系及び右眼用検査ユニット１２０Ｒに格納された光学系のそれぞれを独立的に、又は連係的に制御することが可能である。左眼用検査ユニット１２０Ｌと右眼用検査ユニット１２０Ｒとにおいて制御装置２００による制御内容は同様であるため、以下では、制御装置２００による左眼用検査ユニット１２０Ｌの制御内容を中心に説明する。
【００６７】
制御装置２００は、例えば、ＬＣＤ１１の表示制御、移動機構１２Ｍ、７３Ｍの動作制御、第１視標形成部７４Ｌ１及び第２視標形成部７４Ｌ２の制御、回動機構１３Ｍ、７６Ｍ１、７６Ｍ２の回動制御などを実行する。
【００６８】
ＬＣＤ１１の表示制御には、視標（視標パターン）の切り換え制御、視標の点灯制御、視標の消灯制御等がある。第１視標形成部７４Ｌ１及び第２視標形成部７４Ｌ２の制御には、視標の切り換え制御、視標の点灯制御、視標の消灯制御等がある。移動機構１２Ｍは、移動レンズ１２を光軸に沿って移動させる。移動機構７３Ｍは、第１光源７３Ｌ１及び第１視標形成部７４Ｌ１を第１光束出力系７１Ｌ１の光軸に沿って一体的に移動させ、かつ、第２光源７３Ｌ２及び第２視標形成部７４Ｌ２を第２光束出力系７１Ｌ２の光軸に沿って一体的に移動させる。回動機構１３Ｍは、ＶＣＣレンズ１３のプラス円柱レンズとマイナス円柱レンズとをそれぞれ独立に回動させる。回動機構１３Ｍは、プラス円柱レンズとマイナス円柱レンズとを光軸を中心に相対的に回動させることができる。回動機構７６Ｍ１は、第１クロスシリンダレンズ７６Ｌ１のプラス円柱レンズとマイナス円柱レンズとを光軸を中心に一体的に回動させる。回動機構７６Ｍ１は、互いに直交するように配置された状態でプラス円柱レンズとマイナス円柱レンズとを回動させる。回動機構７６Ｍ２は、第２クロスシリンダレンズ７６Ｌ２のプラス円柱レンズとマイナス円柱レンズとを光軸を中心に一体的に回動させる。回動機構７６Ｍ２は、互いに直交するように配置された状態でプラス円柱レンズとマイナス円柱レンズとを回動させる。制御装置２００は、ＶＣＣレンズ１３の回動と、第１クロスシリンダレンズ７６Ｌ１及び第２クロスシリンダレンズ７６Ｌ２の回動とが連動するように、回動機構１３Ｍ、７６Ｍ１、７６Ｍ２の制御を実行する。それにより、乱視軸角度が連動して回転される。
【００６９】
制御装置２００は、ＣＣＤ２１による受光制御、アライメント光学系３０Ｌ、３１Ｌ、レフ測定光学系４０Ｌ、ケラト測定光学系５０Ｌなどの動作制御などを実行する。アライメント光学系３０Ｌにより左被検眼ＥＬに投影されたスポット光の像の位置と左被検眼ＥＬの瞳孔中心の位置とのずれがキャンセルされるように、左被検眼ＥＬに対する左眼用検査ユニット１２０Ｌの光学系のＸＹ方向のアライメントを行うことが可能である。アライメント光学系３１Ｌを用いて取得された互いに異なる２以上の方向からの左被検眼ＥＬの前眼部の撮影画像に基づいて得られる視差からＺ方向のアライメントを行うことが可能である。レフ測定光学系４０Ｌの動作制御には、レフ測定用の光束を出射する測定用光源の制御などがある。ケラト測定光学系５０Ｌの動作制御には、ケラトリング光源の制御などがある。
【００７０】
各検査ユニットに光学素子適用部が設けられる場合、制御装置２００（制御部２０１）は、複数の光学素子を選択的に左被検眼ＥＬ及び右被検眼ＥＲの少なくとも一方に適用するための駆動機構の制御などを実行する。
【００７１】
制御装置２００（制御部２０１）は、演算部２１０を制御する。演算部２１０は、左眼用検査ユニット１２０Ｌ又は右眼用検査ユニット１２０Ｒを用いた他覚屈折測定による測定結果に基づいて他覚値を求める。演算部２１０は、例えば、レフ測定光学系４０Ｌ、４０Ｒにより眼底Ｅｆに投影されたリング状の測定光束をＣＣＤ２１により受光することにより取得されたリング視標像の形状を公知の手法で解析することにより他覚値を求める。演算部２１０は、例えば、ケラト測定光学系５０Ｌ、５０Ｒにより被検眼の角膜に投影されたリング状光束の角膜による反射光束をＣＣＤ２１により受光することにより取得された像に対して所定の演算処理を施す。それにより、角膜の形状を表すパラメータを他覚値として算出することが可能である。制御装置２００は、演算部２１０を含んでもよい。
【００７２】
制御装置２００は、以上のような制御の他に、眼科検査装置１のあらゆる動作制御やデータ処理を実行する。
【００７３】
制御装置２００は、検者用コントローラ３００と被検者用コントローラ３１０とをそれぞれ有線又は無線の通信路を介して接続可能である。制御装置２００は、検者用コントローラ３００や被検者用コントローラ３１０に対する操作内容に対応した操作信号を受けて、眼科検査装置１の各部を制御する。制御装置２００は、操作画面や測定を行うための各種情報などを検者用コントローラ３００や被検者用コントローラ３１０の表示部に表示させることが可能である。
【００７４】
なお、前述の光学系を用いたアライメントの動作原理、自覚検査の測定原理、他覚測定の測定原理、角膜形状の測定原理などは既に公知であるので、詳細な説明は省略する。
【００７５】
第１視標呈示部１２２Ｌの機能は、左眼用検査ユニット１２０Ｌに含まれる視標呈示光学系１０Ｌにより実現される。第２視標呈示部１２２Ｒの機能は、右眼用検査ユニット１２０Ｒに含まれる視標呈示光学系１０Ｒにより実現される。第１他覚測定部１２３Ｌの機能は、左眼用検査ユニット１２０Ｌに含まれるレフ測定光学系４０Ｌやケラト測定光学系５０Ｌにより実現される。第２他覚測定部１２３Ｒの機能は、右眼用検査ユニット１２０Ｒに含まれるレフ測定光学系４０Ｒやケラト測定光学系５０Ｒにより実現される。第１撮影部１２４Ｌの機能は、左眼用検査ユニット１２０Ｌに含まれる撮影光学系２０Ｌにより実現される。第２撮影部１２４Ｒの機能は、右眼用検査ユニット１２０Ｒに含まれる撮影光学系２０Ｒにより実現される。
【００７６】
図３におけるビームスプリッタＢＳ４から偏向部材Ｐまでの光学系は、実施形態に係る「光束合成部材によって合成された光束を被検眼に投射する光学系」の一例である。ＶＣＣレンズ１３は、実施形態に係る「光学素子」の一例である。第１視標形成部７４Ｌ１は、実施形態に係る「第１パターン形成部」の一例である。第２視標形成部７４Ｌ２は、実施形態に係る「第２パターン形成部」の一例である。移動機構７３Ｍを制御する制御装置２００は、実施形態に係る「第１制御部」の一例である。回動機構７６Ｍ１は、実施形態に係る「第１回動機構」の一例である。回動機構７６Ｍ２は、実施形態に係る「第２回動機構」の一例である。回動機構７６Ｍ１、７６Ｍ２を制御する制御装置２００は、実施形態に係る「第２制御部」の一例である。
【００７７】
［動作例］
次に、実施形態に係る眼科検査装置１の動作について説明する。以下、眼科検査装置１により行われるクロスシリンダテストの動作例について説明する。このクロスシリンダテストでは、乱視軸角度の精密測定が行われた後、乱視度数の精密測定が行われる。なお、以下では、左被検眼ＥＬに対するクロスシリンダテストの動作例について説明するが、右被検眼ＥＲに対するクロスシリンダテストも同様である。
【００７８】
図７に、眼科検査装置１による左被検眼ＥＬに対するクロスシリンダテストにおける乱視軸角度の精密測定の動作例のフロー図を示す。以下、第１検眼視標を「左視標（１）」と表記し、第２検眼視標を「右視標（２）」と表記する。また、第１クロスシリンダレンズ７６Ｌ１及び第２クロスシリンダレンズ７６Ｌ２のそれぞれが、＋０．５０Ｄのプラス円柱レンズと−０．５０Ｄのマイナス円柱レンズとを含むものとする。図７では、第１クロスシリンダレンズ７６Ｌ１及び第２クロスシリンダレンズ７６Ｌ２が「ＣＣレンズ」と表記されている。
【００７９】
（Ｓ１）
まず、制御装置２００は、事前に行われたレフ測定により得られた球面度数に基づいて移動機構７３Ｍを制御する。それにより、第１光源７３Ｌ１及び第１視標形成部７４Ｌ１が第１光束出力系７１Ｌ１の光軸に沿って移動され、第２光源７３Ｌ２及び第２視標形成部７４Ｌ２が第２光束出力系７１Ｌ２の光軸に沿って移動される。第１光源７３Ｌ１及び第１視標形成部７４Ｌ１と第２光源７３Ｌ２及び第２視標形成部７４Ｌ２とは、レフ測定により得られた球面度数に対応する位置に配置される。
【００８０】
また、制御装置２００は、事前に行われたレフ測定により得られた乱視度数及び乱視軸角度に基づいて回動機構１３Ｍを制御する。それにより、ＶＣＣレンズ１３は、レフ測定により得られた乱視度数及び乱視軸角度に設定される。
【００８１】
（Ｓ２）
次に、制御装置２００は、回動機構７６Ｍ１、７６Ｍ２の少なくとも一方を制御することにより、プラスの度数の向き及びマイナスの度数の向きが互いに入れ替わるように第１クロスシリンダレンズ７６Ｌ１及び第２クロスシリンダレンズ７６Ｌ２を制御する。例えば、第１クロスシリンダレンズ７６Ｌ１では、＋０．５０Ｄの度数が１３５度の向きに設定され、−０．５０Ｄの度数が４５度の向きに設定される。第２クロスシリンダレンズ７６Ｌ２では、＋０．５０Ｄの度数が４５度の向きに設定され、−０．５０Ｄの度数が１３５度の向きに設定される。
【００８２】
（Ｓ３）
続いて、制御装置２００は、ＬＣＤ１１を消灯させ、第１光源７３Ｌ１及び第２光源７３Ｌ２を点灯させ、左視標（１）及び右視標（２）を眼底Ｅｆに投影するための光束の左被検眼ＥＬへの投射を開始することにより視標呈示を開始させる。それにより、左視標（１）と右視標（２）とが同時視される。
【００８３】
（Ｓ４）
被検者は、Ｓ３において同時視された左視標（１）と右視標（２）のうちどちらが良好に見えるかという問いに対して、被検者用コントローラ３１０を用いて回答する。制御装置２００は、被検者用コントローラ３１０を用いて被検者の回答があったか否かを判定する。被検者の回答があったと判定されたとき（Ｓ４：Ｙ）、眼科検査装置１の動作はＳ５に移行する。被検者の回答がないと判定されたとき（Ｓ４：Ｎ）、眼科検査装置１の動作はＳ４を繰り返す。
【００８４】
（Ｓ５）
被検者の回答があったと判定されたとき（Ｓ４：Ｙ）、制御装置２００は、被検者による被検者用コントローラ３１０に対する操作内容に基づいて、左視標（１）が選択されたか否かを判定する（Ｓ５）。左視標（１）が選択されたと判定されたとき（Ｓ５：Ｙ）、眼科検査装置１の動作はＳ６に移行する。左視標（１）が選択されなかったと判定されたとき（Ｓ５：Ｎ）、眼科検査装置１の動作はＳ７に移行する。
【００８５】
（Ｓ６）
左視標（１）が選択されたと判定されたとき（Ｓ５：Ｙ）、制御装置２００は、光軸を中心に第１方向（例えば反時計回り方向）に所定の角度（例えば＋５度）だけ第１クロスシリンダレンズ７６Ｌ１及び第２クロスシリンダレンズ７６Ｌ２を回動させる。同様に、制御装置２００は、光軸を中心に第１方向に所定の角度（例えば＋５度）だけ乱視軸角度を変更するようにＶＣＣレンズ１３を制御する。眼科検査装置１の動作はＳ４に移行する。
【００８６】
（Ｓ７）
左視標（１）が選択されなかったと判定されたとき（Ｓ５：Ｎ）、制御装置２００は、被検者による被検者用コントローラ３１０に対する操作内容に基づいて、右視標（２）が選択されたか否かを判定する（Ｓ７）。右視標（２）が選択されたと判定されたとき（Ｓ７：Ｙ）、眼科検査装置１の動作はＳ８に移行する。右視標（２）が選択されなかったと判定されたとき（Ｓ７：Ｎ）、左視標（１）と右視標（２）との見え具合が一致したと判断され、眼科検査装置１の動作は終了する（エンド）。
【００８７】
（Ｓ８）
右視標（２）が選択されたと判定されたとき（Ｓ７：Ｙ）、制御装置２００は、光軸を中心に第１方向の反対方向である第２方向（例えば時計回り方向）に所定の角度（例えば−５度）だけ第１クロスシリンダレンズ７６Ｌ１及び第２クロスシリンダレンズ７６Ｌ２を回動させる。同様に、制御装置２００は、光軸を中心に第２方向に所定の角度（例えば−５度）だけ乱視軸角度を変更するようにＶＣＣレンズ１３を制御する。眼科検査装置１の動作はＳ４に移行する。
【００８８】
図７における乱視軸角度の精密測定が終了すると、次に示すような乱視度数の精密測定が行われる。
【００８９】
図８に、眼科検査装置１による左被検眼ＥＬに対するクロスシリンダテストにおける乱視度数の精密測定の動作例を表す。
【００９０】
（Ｓ１１）
制御装置２００は、第１クロスシリンダレンズ７６Ｌ１のプラスの度数を図７において決定された乱視軸角度に合わせ、第２クロスシリンダレンズ７６Ｌ２のマイナスの度数を図７において決定された乱視軸角度に合わせる。例えば、図７において乱視軸角度が５度に決定された場合、＋０．５０Ｄの度数が５度の乱視軸角度の向きになるように第１クロスシリンダレンズ７６Ｌ１が制御され、−０．５０Ｄの度数が５度の乱視軸角度の向きになるように第２クロスシリンダレンズ７６Ｌ２が制御される。
【００９１】
（Ｓ１２）
制御装置２００は、Ｓ３と同様に、左視標（１）及び右視標（２）を眼底Ｅｆに投影するための光束の左被検眼ＥＬへの投射を開始することにより視標呈示を開始させる。
【００９２】
（Ｓ１３）
被検者は、Ｓ１２において同時視された左視標（１）と右視標（２）のうちどちらが良好に見えるかという問いに対して、被検者用コントローラ３１０を用いて回答する。制御装置２００は、被検者用コントローラ３１０を用いて被検者の回答があったか否かを判定する。被検者の回答があったと判定されたとき（Ｓ１３：Ｙ）、眼科検査装置１の動作はＳ１４に移行する。被検者の回答がないと判定されたとき（Ｓ１３：Ｎ）、眼科検査装置１の動作はＳ１３を繰り返す。
【００９３】
（Ｓ１４）
被検者の回答があったと判定されたとき（Ｓ１３：Ｙ）、制御装置２００は、被検者による被検者用コントローラ３１０に対する操作内容に基づいて、左視標（１）が選択されたか否かを判定する（Ｓ１４）。左視標（１）が選択されたと判定されたとき（Ｓ１４：Ｙ）、眼科検査装置１の動作はＳ１５に移行する。左視標（１）が選択されなかったと判定されたとき（Ｓ１４：Ｎ）、眼科検査装置１の動作はＳ１６に移行する。
【００９４】
（Ｓ１５）
左視標（１）が選択されたと判定されたとき（Ｓ１４：Ｙ）、制御装置２００は、所定の乱視度数（例えば＋０．２５Ｄ）だけ左被検眼ＥＬに付与されるようにＶＣＣレンズ１３を制御する。眼科検査装置１の動作はＳ１３に移行する。
【００９５】
（Ｓ１６）
左視標（１）が選択されなかったと判定されたとき（Ｓ１４：Ｎ）、制御装置２００は、被検者による被検者用コントローラ３１０に対する操作内容に基づいて、右視標（２）が選択されたか否かを判定する（Ｓ１６）。右視標（２）が選択されたと判定されたとき（Ｓ１６：Ｙ）、眼科検査装置１の動作はＳ１７に移行する。右視標（２）が選択されなかったと判定されたとき（Ｓ１６：Ｎ）、左視標（１）と右視標（２）との見え具合が一致したと判断され、眼科検査装置１の動作は終了する（エンド）。
【００９６】
（Ｓ１７）
右視標（２）が選択されたと判定されたとき（Ｓ１６：Ｙ）、制御装置２００は、所定の乱視度数（例えば−０．２５Ｄ）だけ左被検眼ＥＬに付与されるようにＶＣＣレンズ１３を制御する。眼科検査装置１の動作はＳ１３に移行する。
【００９７】
以上のように、別個に設けられたクロスシリンダレンズを通過した２つの視標を眼底に投影するための２つの光束を、眼底において２つの視標が重ならないように合成して眼底に投影する。それにより、瞳分割されることなく、２つの視標を同時視させることができる。従って、被検眼の位置（顔の位置）が動いた場合でも２つの視標の同時視が可能になるので、クロスシリンダテストの結果が安定化し、検査結果の信頼性を向上させることができる。また、クロスシリンダテストを円滑に実施することが可能になる。
【００９８】
例えば特許文献１に開示された手法では、被検者に呈示される視標が回転されてしまうため、被検者はどちらの状態が良好に見えるかを回答することが難しくなる。そこで、各半円状のレンズの周囲に赤色等の識別視標を付した補助環を配置し、被検者に視標の視認状態を色別で回答させている。従って、装置の複雑化を招いたり、色覚異常をもつ被検者にとって回答が依然として困難であったりする。これに対して、実施形態によれば、視標が回転しないため、色覚異常をもつか否かにかかわらず被検者にとってクロスシリンダテストの回答が容易になる。また、眼科検査装置１にとっては被検者の回答入力の判別が容易になり、構成及び制御を簡素化できる。
【００９９】
〔変形例〕
実施形態において、ＬＣＤ１１が第１視標形成部７４Ｌ１及び第２視標形成部７４Ｌ２の機能を実現してもよい。この場合、ＬＣＤ１１と移動レンズ１２との間にハーフミラーが配置され、ハーフミラーの反射方向にリレーレンズ７５Ｌ１、７５Ｌ２が配置される。クロスシリンダテストを行うとき、ＬＣＤ１１には、第１検眼視標及び第２検眼視標が表示される。リレーレンズ７５Ｌ１は、光軸に沿って移動可能とされる。すなわち、ハーフミラーを用いることによりＬＣＤ１１と第１視標形成部７４Ｌ１及び第２視標形成部７４Ｌ２とが共用される。本変形例によれば、第１光源７３Ｌ１、第１視標形成部７４Ｌ１、第２光源７３Ｌ２、及び第２視標形成部７４Ｌ２が不要になるため、構成を大幅に簡素化することができる。
【０１００】
［効果］
実施形態に係る眼科検査装置の効果について説明する。
【０１０１】
実施形態に係る眼科検査装置（眼科検査装置１）は、第１光束出力系（第１光束出力系７１Ｌ１）と、第２光束出力系（第２光束出力系７１Ｌ２）と、光束合成部材（光束合成部材７２Ｌ）と、光学系（ビームスプリッタＢＳ４から偏向部材Ｐまでの光学系）とを含む。第１光束出力系は、第１検眼視標を眼底（眼底Ｅｆ）に投影するための第１光束を出力する。第２光束出力系は、第２検眼視標を眼底に投影するための第２光束を出力する。光束合成部材は、第１光束と第２光束とを、互いの少なくとも一部が重なり合い、且つ第１検眼視標と第２検眼視標とが眼底において重なり合わないように合成する。光学系は、光束合成部材によって合成された光束を被検眼（左被検眼ＥＬ）に投射する。
【０１０２】
このような構成によれば、第１検眼視標を眼底に投影するための第１光束と第２検眼視標を眼底に投影するための第２光束とを、互いの少なくとも一部が重なり合い、且つ第１検眼視標と第２検眼視標とが眼底において重なり合わないように合成し、合成した光束を被検眼に投射するようにしたので、瞳分割されることなく第１検眼視標及び第２検眼視標を同時視させることができる。それにより、被検眼の位置（顔の位置）が動いた場合でも２つの視標の同時視が可能になる。また、角膜乱視、病理眼等の被検眼が瞳分割の方向に非対称な場合にも、第１検眼視標及び第２検眼視標を瞳分割で同時視させることができる。従って、クロスシリンダテストの結果が安定化し、検査結果の信頼性を向上させることができる。
【０１０３】
また、実施形態に係る眼科検査装置では、第１光束出力系は、第１光束において第１検眼視標に相当する光束断面領域が光束合成部材の光束合成面の第１領域を通過するように第１光束を出力し、第２光束出力系は、第２光束において第２検眼視標に相当する光束断面領域が第１領域に隣接する第２領域を通過するように第２光束を出力してもよい。
【０１０４】
このような構成によれば、第１検眼視標及び第２検眼視標を並べて被検者に同時視させるこができるので、被検者は記憶に頼ることなくどちらが良好に見えるかの判断が容易になり、クロスシリンダテストを円滑に実施することが可能になる。
【０１０５】
また、実施形態に係る眼科検査装置では、第１光束出力系の光軸と第２光束出力系の光軸とが光束合成部材の光束合成面において交差していてもよい。
【０１０６】
このような構成によれば、第１光束及び第２光束を同軸に合成するようにしたので、光学設計が容易で、クロスシリンダテストの円滑な実施が可能な眼科検査装置を提供することができるようになる。
【０１０７】
また、実施形態に係る眼科検査装置では、光学系は、乱視度数及び乱視軸を変更可能な光学素子（ＶＣＣレンズ１３）を含んでもよい。
【０１０８】
このような構成によれば、第１光束出力系と第２光束出力系との共通光路に乱視度数及び乱視軸を変更可能な光学素子を配置するようにしたので、２つの視標の同時視が可能なクロスシリンダテストを実施することができるようになる。
【０１０９】
また、実施形態に係る眼科検査装置では、第１光束出力系は、第１検眼視標に対応するパターンが形成された第１パターン形成部（第１視標形成部７４Ｌ１）と、第１パターン形成部に光を照射する第１光源（第１光源７３Ｌ１）と、を含み、第２光束出力系は、第２検眼視標に対応するパターンが形成された第２パターン形成部（第２視標形成部７４Ｌ２）と、第２パターン形成部に光を照射する第２光源（第２光源７３Ｌ２）とを含んでもよい。
【０１１０】
このような構成によれば、第１光束出力系と第２光束出力系とのそれぞれに、検眼視標に対応するパターンの形成が可能なパターン形成部と光源とを設けるようにしたので、光束出力系ごとに異なる視標を投影するための光束を形成することができるようになる。それにより、２つの視標を同時視させつつ検査の多様化を図ることができる。
【０１１１】
また、実施形態に係る眼科検査装置は、第１光束出力系の光軸に沿って第１パターン形成部及び第１光源を移動し、かつ、第２光束出力系の光軸に沿って第２パターン形成部及び第２光源を移動する移動機構（移動機構７３Ｍ）と、移動機構を制御する第１制御部（制御装置２００）とを含んでもよい。
【０１１２】
このような構成によれば、簡素な構成及び制御で球面度数の変更が可能で、クロスシリンダテストの円滑な実施が可能な眼科検査装置を提供することができるようになる。
【０１１３】
また、実施形態に係る眼科検査装置では、第１光束出力系は、第１パターン形成部と光束合成部材との間に配置され、互いの円柱軸が直交配置されたプラス円柱レンズとマイナス円柱レンズとを含む第１クロスシリンダレンズ（第１クロスシリンダレンズ７６Ｌ１）を含み、第２光束出力系は、第２パターン形成部と光束合成部材との間に配置され、互いの円柱軸が直交配置されたプラス円柱レンズとマイナス円柱レンズとを含む第２クロスシリンダレンズ（第２クロスシリンダレンズ７６Ｌ２）を含んでもよい。
【０１１４】
このような構成によれば、光束出力系ごとにクロスシリンダレンズを設けるようにしたので、視標が回転することなく、被検者にとってクロスシリンダテストの回答が容易な眼科検査装置を提供することができる。
【０１１５】
また、実施形態に係る眼科検査装置は、第１クロスシリンダレンズを第１光束出力系の光軸を中心に回動する第１回動機構（回動機構７６Ｍ１）と、第２クロスシリンダレンズを第２光束出力系の光軸を中心に回動する第２回動機構（回動機構７６Ｍ２）と、第１回動機構と第２回動機構とを制御する第２制御部（制御装置２００）とを含んでもよい。
【０１１６】
このような構成によれば、簡素な構成及び制御で乱視度数及び乱視軸の精密な検査が可能な眼科検査装置を提供することができる。
【０１１７】
また、実施形態に係る眼科検査装置は、左被検眼（左被検眼ＥＬ）を検査するための左眼用検査ユニット（左眼用検査ユニット１２０Ｌ）と、右被検眼（右被検眼ＥＲ）を検査するための右眼用検査ユニット（右眼用検査ユニット１２０Ｒ）と、を含み、左眼用検査ユニット及び右眼用検査ユニットのそれぞれは、第１光束出力系、第２光束出力系、光束合成部材、及び光学系を含んでもよい。
【０１１８】
このような構成によれば、両眼についてクロスシリンダテストの円滑な実施が可能な眼科検査装置を提供することができるようになる。
【０１１９】
以上に説明した構成は、この発明を好適に実施するための一例に過ぎない。よって、この発明の要旨の範囲内における任意の変形（省略、置換、付加など）を適宜に施すことが可能である。
【符号の説明】
【０１２０】
１  眼科検査装置
１０Ｌ  視標呈示光学系
１３  ＶＣＣレンズ
７０Ｌ  クロスシリンダ光学系
７１Ｌ１  第１光束出力系
７１Ｌ２  第２光束出力系
７２Ｌ  光束合成部材
７３Ｌ１  第１光源
７３Ｌ２  第２光源
７４Ｌ１  第１視標形成部
７４Ｌ２  第２視標形成部
７５Ｌ１、７５Ｌ２、７７Ｌ１、７７Ｌ２  リレーレンズ
７６Ｌ１  第１クロスシリンダレンズ
７６Ｌ２  第２クロスシリンダレンズ
７８Ｌ  反射ミラー
７９Ｌ  光路長調整部
１００  測定ヘッド
１２０Ｌ  左眼用検査ユニット
１２０Ｒ  右眼用検査ユニット
【図１】
2017164113.tif 000003
【図２】
2017164113.tif 000004
【図３】
2017164113.tif 000005
【図４】
2017164113.tif 000006
【図５】
2017164113.tif 000007
【図６】
2017164113.tif 000008
【図７】
2017164113.tif 000009
【図８】
2017164113.tif 000010